(57)【要約】無線通信のための方法、装置、およびコンピュータ・プログラム製品が提供される。ここでは、第１のデバイスによって、第２のデバイスへの第２の周波数帯域を用いた送信によって、パラメータが、しきい値を超えるようになったと判定された場合、コンテンツは、第２のデバイスへの送信によって、パラメータが、しきい値を超えるようになったと判定されると、第１の周波数帯域を用いて送信されるか、または、第２のデバイスへの送信によって、パラメータが、しきい値を超えないと判定されると、第１の周波数帯域および第２の周波数帯域を用いて送信される。ここで、第１の周波数帯域と第２の周波数帯域とは異なる。
2013500685.tif 000002
【特許請求の範囲】
【請求項１】
無線通信のための方法であって、
第２のデバイスへの第２の周波数帯域を用いた送信によって、パラメータが、しきい値を超えるようになったかを第１のデバイスによって判定することと、
前記第２のデバイスへの送信によって、前記パラメータが、前記しきい値を超えるようになったとの判定がなされると、第１の周波数帯域を用いてコンテンツを送信すること、または、
前記第２のデバイスへの送信によって、前記パラメータが、前記しきい値を超えないとの判定がなされると、前記第１の周波数帯域および第２の周波数帯域を用いてコンテンツを送信すること、を備え、
前記第１の周波数帯域と前記第２の周波数帯域とは異なる、方法。
【請求項２】
前記パラメータは、送信電力値または干渉値のうちの少なくとも１つを含む、請求項１に記載の方法。
【請求項３】
前記第１のデバイスおよび前記第２のデバイスは、ユーザ機器（ＵＥ）を備え、前記送信は、前記第１のデバイスと前記第２のデバイスとの間のピア・トゥ・ピア・ネットワークに関連付けられており、前記パラメータは、送信電力値、前記送信電力値から推定された干渉レベル、ＵＥと１または複数のノードＢとの間の経路喪失値、または、ノードＢ負荷／干渉レベルのうちの少なくとも１つを備える、請求項１に記載の方法。
【請求項４】
前記第１のデバイスは中継セルを備え、前記第２のデバイスはノードＢを備え、前記パラメータは、前記送信電力値から推定された干渉レベル、前記中継セルと１または複数のノードＢとの間の経路喪失値、または、ノードＢ負荷／干渉レベルを備える、請求項１に記載の方法。
【請求項５】
前記干渉値が前記しきい値を上回っている場合、前記第１の周波数帯域を用いて前記ノードＢからコンテンツを受信することをさらに備える、請求項４に記載の方法。
【請求項６】
前記第２の周波数帯域は、ネットワーク・エンティティによって割り当てられる、請求項１に記載の方法。
【請求項７】
前記第２の周波数帯域を使用する送信はさらに、半デュプレクス通信処理の一部として送信することを備える、請求項１に記載の方法。
【請求項８】
前記第１のデバイスと前記第２のデバイスとは、ＦＤＤシステムにおいて通信するように動作可能である、請求項１に記載の方法。
【請求項９】
前記第２の周波数帯域は、ＦＤＤシステムにおいてアンペアな周波数帯域を備える、請求項１に記載の方法。
【請求項１０】
前記第２の周波数帯域は、２５１５ＭＨｚ乃至２５４０ＭＨｚを備え、前記第１の周波数帯域は、２５００ＭＨｚ乃至２５１５ＭＨｚ、および、２５４０ＭＨｚ乃至２５７０ＭＨｚを備える、請求項１に記載の方法。
【請求項１１】
装置であって、
第２のデバイスへの第２の周波数帯域を用いた送信によって、パラメータが、しきい値を超えるようになったかを第１のデバイスによって判定する手段と、
前記第２のデバイスへの送信によって、前記パラメータが、前記しきい値を超えるようになったとの判定がなされると、第１の周波数帯域を用いてコンテンツを送信する手段、または、
前記第２のデバイスへの送信によって、前記パラメータが、前記しきい値を超えないとの判定がなされると、前記第１の周波数帯域および第２の周波数帯域を用いてコンテンツを送信する手段を備え、
前記第１の周波数帯域と前記第２の周波数帯域とは異なる、装置。
【請求項１２】
前記パラメータは、送信電力値または干渉値のうちの少なくとも１つを含む、請求項１１に記載の装置。
【請求項１３】
前記第１のデバイスおよび前記第２のデバイスは、ユーザ機器（ＵＥ）を備え、前記送信は、前記第１のデバイスと前記第２のデバイスとの間のピア・トゥ・ピア・ネットワークに関連付けられており、前記パラメータは、送信電力値、前記送信電力値から推定された干渉レベル、ＵＥと１または複数のノードＢとの間の経路喪失値、または、ノードＢ負荷／干渉レベルのうちの少なくとも１つを備える、請求項１１に記載の装置。
【請求項１４】
前記第１のデバイスは中継セルを備え、前記第２のデバイスはノードＢを備え、前記パラメータは、送信電力値、前記送信電力値から推定された干渉レベル、前記中継セルと１または複数のノードＢとの間の経路喪失値、または、ノードＢ負荷／干渉レベルを備える、請求項１１に記載の装置。
【請求項１５】
前記干渉値が前記しきい値を上回っている場合、前記第１の周波数帯域を用いて前記ノードＢからコンテンツを受信する手段をさらに備える、請求項１４に記載の装置。
【請求項１６】
前記第１の周波数帯域は、ネットワーク・エンティティによって割り当てられる、請求項１１に記載の装置。
【請求項１７】
前記第２の周波数帯域を使用する送信はさらに、半デュプレクス通信処理の一部として送信することを備える、請求項１１に記載の装置。
【請求項１８】
前記第１のデバイスと前記第２のデバイスとは、ＦＤＤシステムにおいて通信するように動作可能である、請求項１１に記載の装置。
【請求項１９】
前記第２の周波数帯域は、ＦＤＤシステムにおいてアンペアな周波数帯域を備える、請求項１１に記載の装置。
【請求項２０】
前記第２の周波数帯域は、２５１５ＭＨｚ乃至２５４０ＭＨｚを備え、前記第１の周波数帯域は、２５００ＭＨｚ乃至２５１５ＭＨｚ、および、２５４０ＭＨｚ乃至２５７０ＭＨｚを備える、請求項１１に記載の装置。
【請求項２１】
コンピュータ・プログラム製品であって、
第２のデバイスへの第２の周波数帯域を用いた送信によって、パラメータが、しきい値を超えるようになったかを第１のデバイスによって判定することと、
前記第２のデバイスへの送信によって、前記パラメータが、前記しきい値を超えるようになったとの判定がなされると、第１の周波数帯域を用いてコンテンツを送信すること、または、
前記第２のデバイスへの送信によって、前記パラメータが、前記しきい値を超えないとの判定がなされると、前記第１の周波数帯域および第２の周波数帯域を用いてコンテンツを送信すること、
のためのコードを備えるコンピュータ読取可能な媒体を備え、
前記第１の周波数帯域と前記第２の周波数帯域とは異なる、コンピュータ・プログラム製品。
【請求項２２】
前記パラメータは、送信電力値または干渉値のうちの少なくとも１つを含む、請求項２１に記載のコンピュータ・プログラム製品。
【請求項２３】
前記第１のデバイスおよび前記第２のデバイスは、ユーザ機器（ＵＥ）を備え、前記送信は、前記第１のデバイスと前記第２のデバイスとの間のピア・トゥ・ピア・ネットワークに関連付けられており、前記パラメータは、送信電力値、前記送信電力値から推定された干渉レベル、ＵＥと１または複数のノードＢとの間の経路喪失値、または、ノードＢ負荷／干渉レベルのうちの少なくとも１つを備える、請求項２１に記載のコンピュータ・プログラム製品。
【請求項２４】
前記第１のデバイスは中継セルを備え、前記第２のデバイスはノードＢを備え、前記パラメータは、前記送信電力値から推定された干渉レベル、前記中継セルと１または複数のノードＢとの間の経路喪失値、または、ノードＢ負荷／干渉レベルを備える、請求項２１に記載のコンピュータ・プログラム製品。
【請求項２５】
前記コンピュータ読取可能な媒体はさらに、前記干渉値が前記しきい値を上回っている場合、前記第１の周波数帯域を用いて前記ノードＢからコンテンツを受信するためのコードを備える、請求項２４に記載のコンピュータ・プログラム製品。
【請求項２６】
前記第２の周波数帯域は、ネットワーク・エンティティによって割り当てられる、請求項２１に記載のコンピュータ・プログラム製品。
【請求項２７】
前記コンピュータ読取可能な媒体はさらに、半デュプレクス通信処理の一部として送信するためのコードを備える、請求項２１に記載のコンピュータ・プログラム製品。
【請求項２８】
前記第１のデバイスと前記第２のデバイスとは、周波数分割デュプレクス（ＦＤＤ）システムにおいて通信するように動作可能である、請求項２１に記載のコンピュータ・プログラム製品。
【請求項２９】
前記第２の周波数帯域は、ＦＤＤシステムにおいてアンペアな周波数帯域を備える、請求項２１に記載のコンピュータ・プログラム製品。
【請求項３０】
前記第２の周波数帯域は、２５１５ＭＨｚ乃至２５４０ＭＨｚを備え、前記第１の周波数帯域は、２５００ＭＨｚ乃至２５１５ＭＨｚ、および、２５４０ＭＨｚ乃至２５７０ＭＨｚを備える、請求項２１に記載のコンピュータ・プログラム製品。
【請求項３１】
無線通信のための装置であって、
第２のデバイスへの第２の周波数帯域を用いた送信によって、パラメータが、しきい値を超えるようになったかを第１のデバイスによって判定し、
前記第２のデバイスへの送信によって、前記パラメータが、前記しきい値を超えるようになったとの判定がなされると、第１の周波数帯域を用いてコンテンツを送信する、または、
前記第２のデバイスへの送信によって、前記パラメータが、しきい値を超えないと判定されると、前記第１の周波数帯域および第２の周波数帯域を用いてコンテンツを送信する、
ように構成された処理システムを備え、
前記第１の周波数帯域と前記第２の周波数帯域とは異なる、装置。
【請求項３２】
前記パラメータは、送信電力値または干渉値のうちの少なくとも１つを含む、請求項３１に記載の装置。
【請求項３３】
前記第１のデバイスと前記第２のデバイスとは、ユーザ機器（ＵＥ）を備え、前記送信は、前記第１のデバイスと前記第２のデバイスとの間のピア・トゥ・ピア・ネットワークに関連付けられており、前記パラメータは、送信電力値、前記送信電力値から推定された干渉レベル、ＵＥと１または複数のノードＢとの間の経路喪失値、または、ノードＢ負荷／干渉レベルのうちの少なくとも１つを備える、請求項３１に記載の装置。
【請求項３４】
前記第１のデバイスは中継セルを備え、前記第２のデバイスはノードＢを備え、前記パラメータは、送信電力値、前記送信電力値から推定された干渉レベル、前記中継セルと１または複数のノードＢとの間の経路喪失値、または、ノードＢ負荷／干渉レベルのうちの少なくとも１つを備える、請求項３１に記載の装置。
【請求項３５】
前記処理システムはさらに、前記干渉値が前記しきい値を上回っている場合、前記第１の周波数帯域を用いて前記ノードＢからコンテンツを受信するように構成された、請求項３４に記載の装置。
【請求項３６】
前記第２の周波数帯域は、ネットワーク・エンティティによって割り当てられる、請求項３１に記載の装置。
【請求項３７】
前記処理システムはさらに、半デュプレクス通信処理の一部として送信するように構成された、請求項３１に記載の装置。
【請求項３８】
前記第１のデバイスと前記第２のデバイスとは、ＦＤＤシステムにおいて通信するように動作可能である、請求項３１に記載の装置。
【請求項３９】
前記第２の周波数帯域は、ＦＤＤシステムにおいてアンペアな周波数帯域を備える、請求項３１に記載の装置。
【請求項４０】
前記第２の周波数帯域は、２５１５ＭＨｚ乃至２５４０ＭＨｚを備え、前記第１の周波数帯域は、２５００ＭＨｚ乃至２５１５ＭＨｚ、および、２５４０ＭＨｚ乃至２５７０ＭＨｚを備える、請求項３１に記載の装置。
【発明の詳細な説明】
【関連出願に対する相互参照】
【０００１】
本願は、全体が本明細書において参照によって明確に組み込まれている２００９年７月２７日出願の「ＦＤＤネットワークにおけるアンペアな周波数のフレキシブルな使用」（FLEXIBLE USAGE OF UNPAIRED FREQUENCY IN FDD NETWORK）と題された米国仮出願６１／２２８，７３４号の利益を主張する。
【技術分野】
【０００２】
本開示は、一般に、通信システムに関し、さらに詳しくは、周波数分割デュプレクス（ＦＤＤ）システムにおけるアンペア（UNPAIRED）な周波数の使用の管理に関する。
【背景技術】
【０００３】
無線通信システムは、例えば電話技術、ビデオ、データ、メッセージング、およびブロードキャストのようなさまざまな通信サービスを提供するように広く開発された。一般に、無線通信システムは、利用可能なシステム・リソース（例えば、帯域幅、送信電力）を共有することにより、複数のユーザとの通信をサポートすることができる多元接続技術を適用しうる。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、および時分割同時符号分割多元接続（ＴＤ−ＳＣＤＭＡ）システムを含む。
【０００４】
これらの多元接続技術は、異種の無線デバイスが、市レベル、国レベル、地方レベル、あるいは地球レベルでさえも通信することを可能にする共通のプロトコルを提供するために、さまざまな通信規格に採用されている。新興の通信規格の一例は、ロング・ターム・イボリューション（ＬＴＥ）である。ＬＴＥは、第３世代パートナシップ計画（３ＧＰＰ）によって公布されたユニバーサル・モバイル通信システム（ＵＭＴＳ）モバイル規格に対する強化のセットである。これは、スペクトル効率を改善することによってモバイル・ブロードバンド・インターネット・アクセスをより良好にサポートし、コストを低減し、サービスを改善し、新たなスペクトルを活用し、さらに、ＤＬではＯＦＤＭＡ、アップリンク（ＵＬ）ではＳＣ−ＦＤＭＡ、および複数入力複数出力（ＭＩＭＯ）アンテナ技術を用いて、他のオープンな規格とより良好に融合するように設計される。しかしながら、モバイル・ブロードバンド・アクセスに対する需要が増加し続けているので、ＬＴＥ技術におけるさらなる改善に対するニーズが存在する。好適には、これらの改善は、これらの技術を適用するその他の多元接続技術および通信規格に適用可能であるべきである。
【発明の概要】
【０００５】
以下は、１または複数の態様の基本的な理解を与えるために、そのような態様の簡略化された概要を示す。この概要は、考えられるすべての態様の広範囲な概観ではなく、すべての態様の重要要素や決定的要素を識別することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００６】
１または複数の態様および対応する開示によれば、さまざまな態様が、ＦＤＤシステムにおけるアンペアな周波数の使用の管理に関して記載される。方法は、第２のデバイスへの第２の周波数帯域を用いた送信によって、パラメータが、しきい値を超えるようになったかを第１のデバイスによって判定することと、第２のデバイスへの送信によって、パラメータが、しきい値を超えるようになったとの判定がなされると、第１の周波数帯域を用いてコンテンツを送信すること、または、第２のデバイスへの送信によって、パラメータが、しきい値を超えないとの判定がなされると、第１の周波数帯域および第２の周波数帯域を用いてコンテンツを送信することを備えうる。ここで、第１の周波数帯域と第２の周波数帯域とは異なる。
【０００７】
また、別の態様は、装置に関する。この装置は、第２のデバイスへの第２の周波数帯域を用いた送信によって、パラメータが、しきい値を超えるようになったかを第１のデバイスによって判定する手段と、第２のデバイスへの送信によって、パラメータが、しきい値を超えるようになったとの判定がなされると、第１の周波数帯域を用いてコンテンツを送信する手段、または、第２のデバイスへの送信によって、パラメータが、しきい値を超えないとの判定がなされると、第１の周波数帯域および第２の周波数帯域を用いてコンテンツを送信する手段を含みうる。ここで、第１の周波数帯域と第２の周波数帯域とは異なる。
【０００８】
また別の態様は、コンピュータ読取可能な媒体を備えたコンピュータ・プログラム製品に関する。このコンピュータ読取可能な媒体は、第２のデバイスへの第２の周波数帯域を用いた送信によって、パラメータが、しきい値を超えるようになったかを第１のデバイスによって判定することと、第２のデバイスへの送信によって、パラメータが、しきい値を超えるようになったとの判定がなされると、第１の周波数帯域を用いてコンテンツを送信すること、または、第２のデバイスへの送信によって、パラメータが、しきい値を超えないとの判定がなされると、第１の周波数帯域および第２の周波数帯域を用いてコンテンツを送信することのためのコードを含みうる。ここで、第１の周波数帯域と第２の周波数帯域とは異なる。
【０００９】
また別の態様は、無線通信のための装置に関連する。この装置は、第２のデバイスへの第２の周波数帯域を用いた送信によって、パラメータが、しきい値を超えるようになったかを第１のデバイスによって判定し、第２のデバイスへの送信によって、パラメータが、しきい値を超えるようになったとの判定がなされると、第１の周波数帯域を用いてコンテンツを送信し、または、第２のデバイスへの送信によって、パラメータが、しきい値を超えないと判定されると、第１の周波数帯域および第２の周波数帯域を用いてコンテンツを送信する、ように構成された処理システムを含みうる。ここで、第１の周波数帯域と第２の周波数帯域とは異なる。
【００１０】
前述した目的および関連する目的を達成するために、１または複数の実施形態は、後に十分に記載され、特許請求の範囲において特に指摘されている特徴を備える。以下の記載および添付図面は、１または複数の態様のある例示的な特徴を詳細に記載する。しかしながら、これらの特徴は、さまざまな態様の原理が適用されるさまざまな方式のうちの極く一部しか示しておらず、本説明は、そのような態様およびそれらの均等物の全てを含むことが意図されている。
【図面の簡単な説明】
【００１１】
【図１】図１は、処理システムを適用する装置のためのハードウェア実装の例を例示する図解である。
【図２】図２は、アクセス・ネットワークの例を例示する図解である。
【図３】図３は、アクセス・ネットワークにおけるイボルブド・ノードＢとユーザ機器との例を例示する図解である。
【図４】図４は、アクセス・ネットワークで使用される周波数帯域計画の例を例示する図解である。
【図５Ａ】図５Ａは、態様にしたがって、アンペアな周波数を用いるアクセス・ネットワーク構成の例である。
【図５Ｂ】図５Ｂは、態様にしたがって、アンペアな周波数を用いる別のアクセス・ネットワーク構成の例である。
【図５Ｃ】図５Ｃは、態様にしたがって、アンペアな周波数を用いるさらに別のアクセス・ネットワーク構成の例である。
【図６】図６は、無線通信の方法のフロー・チャートである。
【図７】図７は、典型的な装置の機能を例示する概念ブロック図である。
【発明を実施するための形態】
【００１２】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１３】
通信システムのいくつかの態様が、さまざまな装置および方法に対する参照を用いて表されうる。これらの装置および方法は、さまざまなブロック、モジュール、構成要素、回路、ステップ、処理、アルゴリズム等（集合的に「要素」と称される）によって、以下の詳細説明に記述されており、添付図面に例示される。これらの要素は、電子ハードウェア、コンピュータ・ソフトウェア、またはこれら任意の組み合わせを用いて実現されうる。それら要素がハードウェアとしてまたはソフトウェアとして実現されるかは、特定のアプリケーションおよびシステム全体に課せられている設計制約に依存する。
【００１４】
例として、要素、要素の任意の部分、または、要素の任意の組み合わせは、１または複数のプロセッサを含む「処理システム」を用いて実現されうる。プロセッサの例は、マイクロプロセッサ、マイクロコントローラ、デジタル信号プロセッサ（ＤＳＰ）、フィールド・プログラマブル・ゲート・アレイ（ＦＰＧＡ）、プログラマブル論理デバイス（ＰＬＤ）、順序回路、ゲート・ロジック、ディスクリート・ハードウェア回路、およびこの開示の全体にわたって記載されたさまざまな機能を実行するように構成されたその他の適切なハードウェアを含んでいる。処理システムにおける１または複数のプロセッサは、ソフトウェアを実行しうる。ソフトウェアは、ソフトウェア、ファームウェア、ミドルウェア、マイクロコード、ハードウェア記述言語、あるいはこれら以外で称されていようとも、命令群、命令群セット、コード、コード・セグメント、プログラム・コード、プログラム、サブプログラム、ソフトウェア・モジュール、アプリケーション、ソフトウェア・アプリケーション、パッケージ・ソフト、ルーチン、サブルーチン、オブジェクト、実行形式、実行スレッド、手順、機能等を意味するように広く解釈されるものとする。ソフトウェアは、コンピュータ読取可能な媒体上に存在しうる。コンピュータ読取可能な媒体は、例によれば、磁気記憶デバイス（例えばハード・ディスク、フロッピー（登録商標）ディスク、磁気ストリップ等）、光ディスク（例えば、コンパクト・ディスク（ＣＤ）、デジタル・バーサタイル・ディスク（ＤＶＤ）等）、スマート・カード、フラッシュ・メモリ・デバイス（例えば、カード、スティック、キー・ドライブ）、ランダム・アクセス・メモリ（ＲＡＭ）、読取専用メモリ（ＲＯＭ）、プログラマブルＲＯＭ（ＰＲＯＭ）、消去可能ＰＲＯＭ（ＥＰＲＯＭ）、電子的消去可能ＰＲＯＭ（ＥＥＰＲＯＭ）、レジスタ、リムーバブル・ディスク、搬送波、伝送路、および、ソフトウェアの格納または送信のために適切なその他任意の媒体を含みうる。コンピュータ読取可能な媒体は、処理システムの内部に存在しうるか、処理システムの外部に存在するか、処理システムを含む複数のエンティティにわたって分散されうる。コンピュータ読取可能な媒体は、コンピュータ・プログラム製品内に組み込まれうる。例によれば、コンピュータ・プログラム製品は、パッケージング・マテリアル内にコンピュータ読取可能な媒体を含みうる。当業者であれば、システム全体に課せられる全体的な設計制約および特定のアプリケーションに依存して、本開示の全体にわたって示されている機能を、どうやって最良に実施するかを認識するだろう。
【００１５】
図１は、処理システム１１４を適用する装置１００のためのハードウェア実装の例を例示する概念図である。この例では、処理システム１１４は、一般にバス１０２によって表されているバス・アーキテクチャを用いて実現されうる。バス１０２は、全体的な設計制約および処理システム１１４の特定のアプリケーションに依存して任意の数の相互接続バスおよびブリッジを含みうる。バス１０２は、一般にプロセッサ１０４によって表される１または複数のプロセッサと、一般にコンピュータ読取可能な媒体１０６によって表されるコンピュータ読取可能な媒体を含むさまざまな回路を共に接続する。バス１０２はさらに、例えば、タイミング・ソース、周辺機器、電圧制御装置、および電力管理回路のようなその他さまざまな回路をリンクしうる。これらは、当該技術分野で良く知られているので、さらなる説明はしない。バス・インタフェース１０８は、バス１０２とトランシーバ１１０との間にインタフェースを提供する。トランシーバ１１０は、送信媒体を介してその他さまざまな装置と通信するための手段を提供する。装置の性質によって、ユーザ・インタフェース１１２（例えば、キーパッド、ディスプレイ、スピーカ、マイクロフォン、ジョイスティック）も提供されうる。
【００１６】
プロセッサ１０４は、バス１０２の管理、および、コンピュータ読取可能な媒体１０６に格納されたソフトウェアの実行を含む一般的な処理を担当する。ソフトウェアは、プロセッサ１０４によって実行された場合、処理システム１１４に対して、特定の装置のために記載されたさまざまな機能を実行させる。コンピュータ読取可能な媒体１０６はまた、ソフトウェアが実行されている場合に、プロセッサ１０４によって操作されるデータを格納するためにも使用されうる。
【００１７】
図２は、さまざまな装置１００（図１参照）を適用するＬＴＥネットワーク・アーキテクチャにおけるアクセス・ネットワークの例を例示する図解である。この例では、ヘテロジニアスなアクセス・ネットワーク２００が図示されている。このような態様では、ネットワーク２００は、多くのセルラ領域（セル）２０２に分割される。１または複数の低電力クラスのｅノードＢ２０８、２１２は、これらセル２０２のうちの１または複数とそれぞれオーバラップするセルラ領域２１０、２１４を有しうる。低電力クラスのｅノードＢ２０８、２１２は、フェムト・セル（例えば、ホームｅノードＢ（ＨｅＮＢ））、ピコ・セル、またはマイクロ・セルでありうる。高電力クラスまたはマクロｅノードＢ２０４は、セル２０２に割り当てられ、セル２０２内のすべてのＵＥ２０６のためにネットワークへのアクセス・ポイントを提供するように構成されている。さらに、異なる電力クラスは、異なる設定を有しうる。例えば、マクロｅノードＢ電力クラスは、ピコｅノードＢ電力クラスとは異なる設定を有しうるフェムトｅノードＢ電力クラスとは異なる設定を有しうる。アクセス・ネットワーク２００のこの例では、集中コントローラは存在しないが、別の構成では、集中コントローラが使用されうる。ｅノードＢ２０４は、ラジオ・ベアラ制御、許可制御、モビリティ制御、スケジューリング、セキュリティ、および、サービス提供ゲートウェイへの接続を含むすべてのラジオ関連機能を担当しうる。
【００１８】
１つの典型的な態様では、ヘテロジニアスなネットワークは、従来のセルラ基地局（マクロ・セル）に加えて、例えば、ピコ・セルまたは中継セルのような低電力クラスのその他のタイプのセルが存在するネットワークを称する。
【００１９】
アクセス・ネットワーク２００によって適用された変調および多元接続スキームは、展開されている特定の通信規格に依存して変動しうる。
【００２０】
ＬＴＥアプリケーションでは、ＦＤＤおよび時分割デュプレクス（ＴＤＤ）との両方をサポートするために、ＤＬでＯＦＤＭが使用され、ＵＬでＳＣ−ＦＤＭＡが使用される。当業者であれば、以下の詳細記載から容易に認識するように、本明細書に記載されたさまざまな概念が、ＬＴＥアプリケーションのために良く適している。しかしながら、これらの概念は、その他の変調および多元接続技術を適用するその他の通信規格へ容易に拡張されうる。例によれば、これらの概念は、イボリューション・データ・オプティマイズド（ＥＶ−ＤＯ）またはウルトラ・モバイル・ブロードバンド（ＵＭＢ）へ拡張されうる。ＥＶ−ＤＯおよびＵＭＢは、ＣＤＭＡ２０００規格ファミリの一部として第３世代パートナシップ計画２（３ＧＰＰ２）によって公布されたエア・インタフェース規格であり、移動局へのブロードバンド・インターネット・アクセスを提供するためにＣＤＭＡを適用する。これらの概念はまた、例えばＴＤ−ＳＣＤＭＡのように、広帯域ＣＤＭＡ（Ｗ−ＣＤＭＡ）およびＣＤＭＡのその他の派生を適用するユニバーサル地上ラジオ・アクセス（ＵＴＲＡ）、ＴＤＭＡを適用するグローバル・システム・フォー・モバイル通信（ＧＳＭ（登録商標））、およびＯＦＤＭＡを適用するイボルブドＵＴＲＡ（Ｅ−ＵＴＲＡ）、ＵＭＢ、ＩＥＥＥ  ８０２．１１（Ｗｉ−Ｆｉ）、ＩＥＥＥ  ８０２．１６（ＷｉＭＡＸ）、ＩＥＥＥ  ８０２．２０、およびフラッシュＯＦＤＭへも拡張されうる。ＵＴＲＡ、Ｅ−ＵＴＲＡ、ＵＭＴＳ、ＬＴＥ、およびＧＳＭは、３ＧＰＰ団体からのドキュメントに記載されている。ＣＤＭＡ２０００およびＵＭＢは、３ＧＰＰ２団体からドキュメントに記載されている。適用されている実際の無線通信規格および多元接続技術は、特定のアプリケーションと、システムに課せられている全体的な設計制約とに依存するであろう。
【００２１】
図３は、アクセス・ネットワークにおいてＵＥ３５０と通信しているｅノードＢ３１０のブロック図である。ＤＬでは、コア・ネットワークからの上部レイヤ・パケットが、コントローラ／プロセッサ３７５へ提供される。コントローラ／プロセッサ３７５は、受信されたパケットのＬ２レイヤの機能を実現する。ＤＬでは、コントローラ／プロセッサ３７５が、ヘッダ圧縮、暗号化、パケット・セグメンテーションおよび並べ替え、論理チャネルと伝送チャネルとの多重化、および、さまざまな優先度判定基準に基づくＵＥ３５０へのラジオ・リソース割当を提供する。さらに、コントローラ／プロセッサ３７５はまた、ＨＡＲＱ動作、喪失パケットの再送信、およびＵＥ３５０へのシグナリングを担当する。
【００２２】
ＴＸプロセッサ３１６は、Ｌ１レイヤ（すなわち、物理レイヤ）のためのさまざまな信号処理機能を実現する。この信号処理機能は、ＵＥ３５０におけるフォワード誤り訂正（ＦＥＣ）を容易にするための符号化およびインタリービング、および、さまざまな変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ））に基づく信号コンステレーションへのマッピングを含む。符号化および変調されたシンボルは、その後、並行なストリームへ分割される。おのおののストリームは、その後、ＯＦＤＭサブキャリアへマップされ、時間領域および／または周波数領域において基準信号（例えば、パイロット）と多重化され、その後、逆高速フーリエ変換（ＩＦＦＴ）を用いてともに結合されることにより、時間領域ＯＦＤＭシンボル・ストリームを伝送する物理チャネルが生成される。このＯＦＤＭストリームは、空間的に事前符号化され、複数の空間ストリームが生成される。チャネル推定器３７４からのチャンネル推定値が、空間処理のみならず、符号化および変調スキームを決定するためにも使用されうる。チャネル推定値は、ＵＥ３５０によって送信されたチャネル状態フィードバックおよび／または基準信号から導出されうる。おのおのの空間ストリームはその後、個別の送信機３１８ＴＸを介して異なるアンテナ３２０へ提供される。おのおのの送信機３１８ＴＸは、送信のために、それぞれの空間ストリームを用いてＲＦキャリアを変調する。
【００２３】
ＵＥ３５０では、おのおのの受信機３５４ＲＸが、それぞれのアンテナ３５２を介して信号を受信する。おのおのの受信機３５４ＲＸは、ＲＦキャリアへ変調された情報を復元し、この情報を、受信機（ＲＸ）プロセッサ３５６へ提供する。
【００２４】
ＲＸプロセッサ３５６は、Ｌ１レイヤのさまざまな信号処理機能を実現する。ＲＸプロセッサ３５６は、この情報に対して空間処理を実行し、ＵＥ３５０のために向けられた空間ストリームを復元する。複数の空間ストリームが、ＵＥ３５０に向けられている場合、これらは、ＲＸプロセッサ３５６によって、単一のＯＦＤＭシンボル・ストリームへ結合されうる。ＲＸプロセッサ３５６は、その後、高速フーリエ変換（ＦＦＴ）を用いて、ＯＦＤＭシンボル・ストリームを、時間領域から周波数領域へ変換する。周波数領域信号は、ＯＦＤＭ信号のおのおののサブキャリアの個別のＯＦＤＭシンボル・ストリームを備える。おのおののサブキャリアにおけるシンボル、および基準信号は、ｅノードＢ３１０によって送信された最も可能性の高いコンステレーション・ポイントを判定することによって復元および復調される。これら軟判定は、チャネル推定器３５８によって計算されたチャネル推定値に基づきうる。これら軟判定はその後、復号およびデインタリーブされ、物理チャネル上でｅノードＢ３１０によって送信されたオリジナルのデータおよび制御信号が復元される。データおよび制御信号はその後、コントローラ／プロセッサ３５９へ提供される。
【００２５】
コントローラ／プロセッサ３５９は、パケットのＬ２レイヤを実現する。ＵＬにおいて、コントローラ／プロセッサ３５９は、伝送チャネルと論理チャネルとの逆多重化、パケット再アセンブリ、解読、ヘッダ伸長、コア・ネットワークからの上部レイヤ・パケットを復元するための制御信号処理を提供する。Ｌ２レイヤ上のすべてのプロトコル・レイヤを表す上部レイヤ・パケットは、その後、データ・シンク３６２へ提供される。Ｌ３処理のためにも、データ・シンク３６２へさまざまな制御信号が提供されうる。コントローラ／プロセッサ３５９は、ＨＡＲＱ動作をサポートするために、アクノレッジメント（ＡＣＫ）プロトコルおよび／または否定的なアクノレッジメント（ＮＡＣＫ）プロトコルを用いて、誤り検出を担当する。
【００２６】
ＵＬでは、コントローラ／プロセッサ３５９へ上部レイヤ・パケットを提供するために、データ・ソース３６７が使用される。データ・ソース３６７は、Ｌ２レイヤ（Ｌ２）上のすべてのプロトコル・レイヤを表す。ｅノードＢ３１０によるＤＬ送信に関して記載された機能に類似して、コントローラ／プロセッサ３５９は、ヘッダ圧縮、暗号化、パケット・セグメンテーションおよび並べ替え、および、ｅノードＢ３１０によるラジオ・リソース割当に基づく論理チャネルと伝送チャネルとの多重化を提供することにより、ユーザ・プレーンおよび制御プレーンのためにＬ２レイヤを実現する。コントローラ／プロセッサ３５９はまた、ＨＡＲＱ動作、喪失パケットの再送信、および、ｅノードＢ３１０へのシグナリングをも担当する。
【００２７】
ｅノードＢ３１０によって送信された基準信号またはフィードバックから、チャネル推定器３５８によって導出されたチャネル推定値は、ＴＸプロセッサ３６８によって使用されて、適切な符号化および変調スキームが選択され、空間処理が容易とされる。ＴＸプロセッサ３６８によって生成された空間ストリームは、個別の送信機３５４ＴＸを介して異なるアンテナ３５２に提供される。おのおのの送信機３５４ＴＸは、送信のために、それぞれの空間ストリームを用いてＲＦキャリアを変調する。
【００２８】
ＵＬ送信は、ＵＥ３５０における受信機機能に関して記載されたものと類似した方式で、ｅノードＢ３１０において処理される。おのおのの受信機３１８ＲＸは、それぞれのアンテナ３２０を介して信号を受信する。おのおのの受信機３１８ＲＸは、ＲＦキャリアへ変調された情報を復元し、この情報を、ＲＸプロセッサ３７０へ提供する。ＲＸプロセッサ３７０は、Ｌ１レイヤを実現する。
【００２９】
コントローラ／プロセッサ３５９は、パケットのＬ２レイヤを実現する。コントローラ／プロセッサ３５９は、ＵＬにおいて、伝送チャネルと論理チャネルの逆多重化、パケット再アセンブリ、解読、ヘッダ伸長、ＵＥ３５０からの上部レイヤ・パケットを復元するための制御信号処理を提供する。コントローラ／プロセッサ３７５からの上部レイヤ・パケットは、コア・ネットワークへ提供されうる。コントローラ／プロセッサ３５９はまた、ＨＡＲＱ動作をサポートするためにＡＣＫ／ＮＡＣＫプロトコルを用いて、誤り検出を担当する。
【００３０】
１つの態様では、図１に関連して記載された処理システム１１４が、ｅノードＢ３１０を含む。特に、この処理システム１１４は、ＴＸプロセッサ３１６、ＲＸプロセッサ３７０、および、コントローラ／プロセッサ３７５を含む。別の態様では、図１に関連して記載された処理システム１１４が、ＵＥ３５０を含む。特に、この処理システム１１４は、ＴＸプロセッサ３６８、ＲＸプロセッサ３５６、および、コントローラ／プロセッサ３５９を含む。
【００３１】
図４は、態様にしたがって、ネットワーク４００で使用される周波数帯域計画の例を例示するブロック図である。図４に図示するように、周波数帯域計画は、さまざまな動作のための周波数割当を含みうる。１つの態様では、周波数帯域は、ＦＤＤ  ＵＬ４０２、ＦＤＤ  ＤＬ４０４、およびＴＤＤ４０６のために割り当てられうる。１つの態様では、周波数帯域は、ブロードキャスト衛星サービス（ＢＳＳ）４０８のために割り当てられ、これによって、アンペアな周波数帯域（アンペアなＵＬ）４１０が残る。
【００３２】
一例では、例えば、ＣＥＰＴ／ＥＣＣ  ０５（０５）によって提案されるようなメイン・ストリーム帯域計画は、２５００ＭＨｚ乃至２５７０ＭＭＨｚがＦＤＤアップリンクを割り当てられ、２６２０ＭＨｚ乃至２６９０ＭＨｚがＦＤＤダウンリンクを割り当てられ、２５７０ＭＨｚ乃至２６２０ＭＨｚがＴＤＤシステムを割り当てられる。さらに、ＢＳＳが、２６３５ＭＨｚ乃至２６６０ＭＨｚを割り当てられうる。それゆえ、ＦＤＤアップリンク帯域計画の、ある部分は、アンペアな周波数として割り当てられ、フレキシブル・アップリンク（Ｆｌｅｘ  ＵＬ）と呼ばれうる。
【００３３】
１つの態様では、アンペアな帯域４１０は、ＵＥ間のピア・トゥ・ピア通信を高めるために使用されうる。別の態様では、アンペアな帯域４１０は、ｅノードＢとの中継セル通信を高めるために使用されうる。さらに、１つの態様では、アンペアな帯域４１０を使用することによって、例えばＣＥＰＴ／ＥＣＣ  ０５（０５）帯域計画のようなその他のメイン・ストリーム帯域計画との互換性が提供される。別の態様では、アンペアな帯域４１０を利用することにより、周波数使用効率が高められる。２．５ＧＨｚ帯域計画が例として示されているが、解決策は、ＦＤＤネットワークにおける任意のアンペアな周波数にも適用可能でありうることに注目されたい。特に、アンペアな周波数がＦＤＤ  ＵＬ帯域に組み込まれた場合、周波数使用効率が高められうる。
【００３４】
一般に、アンペアな周波数帯域４１０は、ＴＤＤシステムに割り当てられている。このような場合、（例えば２５１５ＭＨｚ−２５４０ＭＨｚのような）アンペアな周波数帯域が、ＴＤＤシステムに割り当てられる一方、残りの周波数が、例えばメイン・ストリームＣＥＰＴ／ＥＣＣ  ０５（０５）帯域計画のようなＦＤＤシステムに割り当てられている場合、ＴＤＤダウンリンク４０６およびＦＤＤアップリンク４０２からの過度の干渉を避けるために、アンペアな周波数帯域４１０の周りに十分なガード帯域が使用されうる。さらに、ＴＤＤダウンリンク４０６およびＦＤＤアップリンク４０２からの干渉を避けるために、ＦＤＤ  ｅノードＢのために受信機フィルタ設計が必要であり、ＴＤＤ  ｅノードＢのために送信機フィルタ設計が必要でありうる。さらに、ＴＤＤのためにアンペアな周波数を用いるいくつかのＵＥは、ＦＤＤのためにアンペアな周波数を用いるローミングＵＥからの干渉リスクを被りうる。このような場合、ＦＤＤのためにアンペアな周波数を用いるローミングＵＥのための設計は、（例えば、ＣＥＰＴ／ＥＣＣ  ０５（０５）帯域計画のような）さまざまなメイン・ストリーム帯域計画のための設計との互換性を持たないことがある。対照的に、ＦＤＤ通信のためにアンペアな周波数帯域を用いることは、２５１５ＭＨｚおよび２５４０ＭＨｚの周りのガード帯域に対する必要性を取り除くので、周波数使用効率を高めることが可能となる。
【００３５】
図５Ａ、５Ｂ、５Ｃは、アンペアな周波数を用いたアクセス・ネットワーク５００構成の例を図示する。アクセス・ネットワーク５００は、１または複数のＵＥ５０２、ｅノードＢ５０４、および、中継セル５０６を含みうる。
【００３６】
図５Ａを参照して、複数のＵＥ５０２がアンペアな周波数帯域４１０を用いて通信するアクセス・ネットワーク５００構成が図示される。１つの態様では、アンペアな周波数帯域４１０（例えば、２５１５−２５４０ＭＨｚ）は、半デュプレクス・モードでのＵＥ５０２ピア・トゥ・ピア通信５０８のために使用されうる。ｅノードＢとＵＥ５１０との間の通信は、ＢＳＳ周波数および対応するアンペアな周波数４１０の使用を避けながら、ＦＤＤ  ＵＬ４０２周波数およびＦＤＤ  ＤＬ４０４周波数を使用する。さらに、ＵＥピア・トゥ・ピア通信５０８は、アンペアな周波数帯域４１０（例えば、２５００−２５７０ＭＨｚ）を含むアップリンク帯域のすべてを使用しうる。１つの態様では、ＵＥ端末が、定められたしきい値よりも高い送信電力で送信する場合、ｅノードＢ５０４受信機との干渉を避けるために、アンペアな周波数帯域４１０が使用される。ＵＥ５０２が、定められたしきい値よりも低い送信電力で送信する場合、ＵＥピア・トゥ・ピア通信５０８は、アンペアな周波数帯域４１０（例えば、２５００−２５７０ＭＨｚ）を含むアップリンク帯域のすべてを使用しうる。言い換えれば、ＵＥ５０２送信電力が、定められたしきい値よりも高い場合、ｅノードＢとの干渉を回避するように、帯域４１０のみが使用されうる。１つの態様では、定められたしきい値は、ＵＥ５０２送信電力にしたがって推定された干渉レベルまたは送信電力値、ＵＥ５０２とｅノードＢ５０４との間の経路喪失値、現在のｅノードＢ５０４負荷／干渉レベル等に基づくパラメータでありうる。ＵＥがピア・トゥ・ピア通信を使用している場合、帯域の使用は、例えばＣＥＰＴ／ＥＣＣ  ０５（０５）帯域計画のようなその他のメイン・ストリーム帯域計画との互換性を有しうる。１つの態様では、互換性を可能にするために、さらなるシグナリング・メッセージが使用されうる。１つのこのような態様では、ＵＥ５０２は、ピア・トゥ・ピア通信５０８を可能にするために、ＲＦ機能のフレキシブルな二重化をサポートしうる。１つの態様では、送信電力が、定められたしきい値よりも高い場合、ネットワーク・コントローラは、ピア・トゥ・ピア通信５０８をする端末へ、アンペアな周波数帯域４１０を割り当てうる。別の態様では、ＵＥピア・トゥ・ピア通信５０８は、ＦＤＤネットワーク５００における帯域内周波数リソース割当に悪影響を与えない。そして、容量を高めるために、アンペアな周波数４１０をさらに多く用いて、ＵＥピア・トゥ・ピア通信５０８を提供する。
【００３７】
図５Ｂを参照して、中継セル５０６およびｅノードＢ５０４がアンペアな周波数帯域４１０を用いて通信するアクセス・ネットワーク５００構成が図示される。１つの態様では、アンペアな周波数帯域４１０（例えば、２５１５−２５４０ＭＨｚ）は、半デュプレクス・モードでの中継通信５０８（例えば、ネットワーク・ピア・トゥ・ピア通信）のために使用されうる。中継セル５０６は、アンペアな周波数帯域４１０（例えば、２５００−２５７０ＭＨｚ）を含むアップリンク帯域のすべてでｅノードＢ５０４へ送信しうる。中継セル５０６が、定められたしきい値よりも低い送信電力で送信する場合、中継セル５０６は、アンペアな周波数帯域４１０（例えば、２５００−２５７０ＭＨｚ）を含むアップリンク帯域のすべてで送信しうる。言い換えれば、中継セル送信電力が、定められたしきい値よりも高い場合、ｅノードＢとの干渉を回避するように、帯域４１０のみが使用されうる。１つの態様では、定められたしきい値は、中継セル５０２送信電力にしたがって推定された干渉レベルまたは送信電力値、中継セル５０６とｅノードＢ５０４との間の経路喪失値、現在のｅノードＢ５０４負荷／干渉レベル等に基づくパラメータでありうる。１つの態様では、ｅノードＢ５０４は、アンペアな周波数帯域４１０（例えば、２５１５−２５４０ＭＨｚ）のみで中継セル５０６へ送信しうる。１つの態様では、ｅノードＢ５０４および中継セル５０６は、異なる時間ユニットで送信しうる。例えば、中継通信５０８のために半デュプレクス・モードで動作しうる。同時に、ｅノードＢ５０４および中継セル５０６はまた、１または複数のＵＥ５０２と通信するために、標準的なＦＤＤアップリンクおよびダウンリンク周波数帯域で通信しうる。それゆえ、中継セル５０６は、ＦＤＤネットワーク５００の帯域内周波数リソースに影響を与えない。そして、ｅノードＢ５０４通信へ、強化された中継セル５０６を提供するために、アンペアな周波数４１０をさらに多く用いる。このような態様では、中継セル５０６は、ｅノードＢ５０４通信への、強化された中継セル５０６をサポートするために、ＲＦ機能のフレキシブルなデュプレクスをサポートしうる。さらに、アンペアな帯域４１０を使用することによって、例えば、ＣＥＰＴ／ＥＣＣ  ０５（０５）帯域計画のようなその他のメイン・ストリーム帯域計画との互換性を有しうる。
【００３８】
図５Ｃを参照して、中継セル５０６およびｅノードＢ５０４がアンペアな周波数帯域４１０を用いて通信する別のアクセス・ネットワーク５００構成が図示される。１つの態様では、アンペアな周波数帯域４１０（例えば、２５１５−２５４０ＭＨｚ）は、半デュプレクス・モードでの中継セル５０６通信のために使用されうる。このような態様では、中継セル５０６は、アンペアな周波数帯域４１０（例えば、２５００−２５７０ＭＨｚ）を含むすべての利用可能なＦＤＤ  ＵＬ帯域４０２を用いてｅノードＢ５０４に送信しうる。中継セル５０６が、定められたしきい値よりも低い送信電力で送信する場合、中継セル５０６は、アンペアな周波数帯域４１０（例えば、２５００−２５７０ＭＨｚ）を含むアップリンク帯域のすべてで送信しうる。言い換えれば、中継セル送信電力が、定められたしきい値よりも高い場合、ｅノードＢとの干渉を回避するように、帯域４１０のみが使用されうる。１つの態様では、定められたしきい値は、中継セル５０２送信電力にしたがって推定された干渉レベルまたは送信電力値、中継セル５０６とｅノードＢ５０４との間の経路喪失値、現在のｅノードＢ５０４負荷／干渉レベル等に基づくパラメータでありうる。さらに、ｅノードＢ５０４は、ＦＤＤ  ＤＬ周波数帯域４０４（例えば、２６３０−２６３５ＭＨｚおよび２６６０−２６９０ＭＨｚ）を用いて、中継セル５０６へ送信５１２しうる。さらに、１つの態様では、半デュプレクス・モードにおける通信を可能にするために、中継セル５０６は、異なる時間ユニットで送信しうる。同時に、１または複数のＵＥ５０２と通信するために、ｅノードＢ５０４および中継セル５０６はまた、標準的なＦＤＤアップリンクおよびダウンリンク周波数帯域で通信しうる。図５Ｂに図示する態様と比べて、帯域４０２におけるＵＥ５０２へのｅノードＢ５０４送信からの非合法的な信号をフィルタするために、ｅノードＢ５０４のために追加のフィルタは使用されない。したがって、図５Ｃに示す態様は、図５Ｂに図示する態様よりも少ないハードウェア変更しか使用しない。対照的に、図５Ｂに図示された態様は、図５Ｃに図示する態様よりもより多くのＤＬ容量を求めて、帯域内ＤＬ周波数リソースをより効率的に使用しうる。それに加えて、図５Ｃに図示された態様はまた、例えばＣＥＰＴ／ＥＣＣ  ０５（０５）のようなメイン・ストリーム帯域計画との互換性を持ち、周波数使用効率を高めうる。
【００３９】
図６は、示された主題のさまざまな態様にしたがうさまざまな方法を例示する。説明を単純にする目的で、これら方法は、本技術にしたがって、一連の動作またはシーケンス・ステップとして示され説明されているが、権利主張される主題は、幾つかの動作が本明細書で示され記載されたものとは異なる順序で、および／または、他の動作と同時に生じうるので、これら動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、権利主張される主題にしたがって方法を実現するために、必ずしも例示された全ての動作が必要される訳ではない。それに加えて、以下に開示される方法および本明細書全体にわたる方法は、これら方法をコンピュータへ伝送および転送することを容易にするために、製造物品に格納されることが可能であることが認識されるべきである。本明細書で使用される用語である製造物品は、任意のコンピュータ読取可能デバイス、キャリア、または媒体からアクセスすることが可能なコンピュータ・プログラムを含むことが意図される。
【００４０】
図６は、無線通信の方法のフロー・チャート６００である。１つの態様では、参照番号６０２では、この方法は、オプションとして、デバイスによる送信のためにコンテンツを準備することを含みうる。１つの態様では、デバイスは、ＵＥ、中継セル、および、例えばｅノードＢのようなノードＢでありうる。参照番号６０４では、第２のデバイスへの第１の周波数帯域を用いた送信によって、パラメータが、しきい値を超えるようになったかが判定されうる。１つの態様では、このパラメータは、送信電力値、または干渉値あるいは干渉レベルのうちの少なくとも１つを含みうる。１つの態様では、第１のデバイスおよび第２のデバイスはＵＥであり、送信は、ＵＥ間のピア・トゥ・ピア・ネットワークに関連付けられうる。そして、パラメータは、ＵＥ５０２送信電力にしたがって推定された干渉レベルまたは送信電力値、ＵＥ５０２とｅノードＢ５０４との間の経路喪失値、現在のｅノードＢ５０４負荷／干渉レベル等でありうる。１つの態様では、第１のデバイスは、中継セルでありうる。第２のデバイスは、ノードＢでありうる。そして、パラメータは、中継セル５０２送信電力にしたがって推定された干渉レベルまたは中継送信電力値、中継セル５０６とｅノードＢ５０４との間の経路喪失値、現在のｅノードＢ５０４負荷／干渉レベル等でありうる。１つの態様では、第２の周波数帯域が、例えばネットワーク・コントローラ等のようなネットワーク・エンティティによって割り当てられうる。
【００４１】
参照番号６０４では、パラメータがしきい値を下回っていると判定されると、参照番号６０６において、デバイスは、第１の周波数帯域および第２の周波数帯域を用いてコンテンツを送信しうる。ここで、第１の周波数帯域と第２の周波数帯域とは異なる。１つの態様では、第１の周波数帯域は、ＦＤＤシステムにおいてアンペアな周波数帯域を含みうる。別の態様では、第１の周波数帯域は、２５１５ＭＨｚ乃至２５４０ＭＨｚを含み、第２の周波数帯域は、２５００ＭＨｚ乃至２５１５ＭＨｚ、および、２５４０ＭＨｚ乃至２５７０ＭＨｚを含みうる。
【００４２】
対照的に、参照番号６０４において、パラメータがしきい値を下回っていないと判定された場合、第２のデバイスへの送信によって、パラメータが、しきい値を超えるであろうとの判定がなされると、参照番号６０８において、デバイスが、第１の周波数帯域を用いてコンテンツを送信しうる。１つの態様では、第１の周波数帯域は、ＦＤＤシステムにおいてアンペアな周波数帯域を含みうる。別の態様では、第１の周波数帯域は、２５１５ＭＨｚ乃至２５４０ＭＨｚを含みうる。さらに、１つの態様では、干渉値がしきい値を上回る場合、第１の周波数帯域を用いて、ノードＢから応答コンテンツが受信されうる。このようにして干渉が回避されうる。別の態様では、応答コンテンツは、例えばＦＤＤ  ＤＬ帯域のような第３の周波数帯域を用いてノードＢによって送信されうる。
【００４３】
図７は、典型的な装置１００の機能を例示する概念ブロック図７００である。装置７００は、第２のデバイスへの第２の周波数帯域を用いた送信によって、パラメータが、しきい値を超えるようになったかを判定するモジュール７０２と、第２のデバイスへの送信によって、パラメータが、しきい値を超えるようになったと判定がなされると、第１の周波数帯域を用いてコンテンツを送信するモジュール７０４と、第２のデバイスへの送信によって、パラメータが、しきい値を超えないと判定されると、第１の周波数帯域および第２の周波数帯域を用いてコンテンツを送信するモジュール７０６とを含む。ここで、第１の周波数帯域と第２の周波数帯域とは異なる。
【００４４】
図１および図３に示すように、１つの構成では、無線通信のための装置１００は、第２のデバイスへの第２の周波数帯域を用いた送信によって、パラメータが、しきい値を超えるようになったかを判定する手段と、第２のデバイスへの送信によって、パラメータが、しきい値を超えるようになったとの判定がなされると、第１の周波数帯域を用いてコンテンツを送信する手段、または、第２のデバイスへの送信によって、パラメータが、しきい値を超えないとの判定がなされると、第１の周波数帯域および第２の周波数帯域を用いてコンテンツを送信する手段を含む。ここで、第１の周波数帯域と第２の周波数帯域とは異なる。別の構成では、装置１００は、干渉値がしきい値を上回っている場合、第１の周波数帯域を用いてノードＢからコンテンツを受信する手段を含む。別の構成では、装置７００は、半デュプレクス通信処理の一部として送信する手段を含む。前述の手段は、前述の手段によって詳述された機能を実行するように構成された処理システム１１４である。前述したように、処理システム１１４は、ＴＸプロセッサ３１６、ＲＸプロセッサ３７０、およびコントローラ／プロセッサ３７５を含む。それゆえ、１つの構成では、前述の手段は、前述の手段によって詳述された機能を実行するように構成されたＴＸプロセッサ３１６、ＲＸプロセッサ３７０、およびコントローラ／プロセッサ３７５でありうる。
【００４５】
開示された処理のステップの具体的な順序または階層は、典型的なアプローチの例示であることが理解される。設計選択に基づいて、これら処理におけるステップの具体的な順序または階層は、再構成されうることが理解される。方法請求項は、さまざまなステップの要素を、サンプル順で示しており、示された具体的な順序または階層に限定されないことが意味される。
【００４６】
前述の記載は、いかなる当業者であっても、ここで開示されたさまざまな態様を実現できるように提供される。これらの態様に対するさまざまな変形例は、当業者に容易に明らかになり、本明細書に定義された一般的な原理は、他の態様にも適用可能である。したがって、特許請求の範囲は、本明細書に示された態様に限定されず、請求項の文言と一貫したすべての範囲が与えられることが意図されており、ここで、単数形による要素への参照は、もしも明確に述べられていないのであれば、「１および１のみ」を意味するのではなく、「１または複数」を意味することが意図されている。特に明記されていない限り、用語「いくつか」は、１または複数を称する。当業者に周知であるか、または、後に周知になるべき本開示を通じて記載されたさまざまな態様の要素に対するすべての構造的および機能的な等価物が、参照によって本明細書に明確に組み込まれており、請求項に含められていると意図される。さらに、本明細書で開示されたいずれも、このような開示が請求項において明示的に述べられているかに関わらず、公衆に対して放棄されたものと意図されない。これら請求項要素が、「〜する手段」という文言を用いて明確に記載されていないのであれば、あるいは、方法請求項の場合に、「〜するステップ」という文言を用いて記載されていないのであれば、いずれの請求項要素も、３５Ｕ．Ｓ．Ｃ第１１２条第６パラグラフの下で解釈されるべきではない。
【図１】
2013500685.tif 000003
【図２】
2013500685.tif 000004
【図３】
2013500685.tif 000005
【図４】
2013500685.tif 000006
【図５Ａ】
2013500685.tif 000007
【図５Ｂ】
2013500685.tif 000008
【図５Ｃ】
2013500685.tif 000009
【図６】
2013500685.tif 000010
【図７】
2013500685.tif 000011
【国際調査報告】
2013500685.tif 000012
2013500685.tif 000013